(57)【要約】      （修正有）【課題】携帯電子機器に適用できる大口径比の撮影光学系を提供する。【解決手段】第１のレンズ１０、第２のレンズ２０、第３のレンズ３０、第４のレンズ４０、第５のレンズ５０、第６のレンズ６０及び第７のレンズ７０を物体側から像側へ順次に備え、１０＜ｆ１／ｆ＜４０、２０＜ｆ２／ｆ＜８０、０.５＜ｆ３／ｆ＜１.５、−２.５＜ｆ４／ｆ＜−０.５、−１０＜ｆ５／ｆ＜−２、０.２＜ｆ６／ｆ＜１.２、−１.５＜ｆ７／ｆ＜−０.４という条件式を満足する。ただし、ｆは撮影光学系全体の焦点距離、ｆ１、ｆ２、ｆ３、ｆ４、ｆ５、ｆ６、ｆ７はそれぞれ第１，２，３，４，５，６，７のレンズの焦点距離である。【選択図】図１
2017116911.tif 000002
【特許請求の範囲】
【請求項１】
撮影光学系であって、共軸になるように設けられた第１のレンズ、第２のレンズ、第３のレンズ、第４のレンズ、第５のレンズ、第６のレンズ及び第７のレンズを物体側から像側へ順次に備え、下記の条件式（１）〜（７）を満足することを特徴とする撮影光学系。
１０＜ｆ１／ｆ＜４０            （１）
２０＜ｆ２／ｆ＜８０            （２）
０.５＜ｆ３／ｆ＜１.５           （３）
−２.５＜ｆ４／ｆ＜−０.５        （４）
−１０＜ｆ５／ｆ＜−２            （５）
０.２＜ｆ６／ｆ＜１.２             （６）
−１.５＜ｆ７／ｆ＜−０.４         （７）
ただし、
ｆ１：第１のレンズの焦点距離
ｆ２：第２のレンズの焦点距離
ｆ３：第３のレンズの焦点距離
ｆ４：第４のレンズの焦点距離
ｆ５：第５のレンズの焦点距離
ｆ６：第６のレンズの焦点距離
ｆ７：第７のレンズの焦点距離
ｆ：前記撮影光学系の全体の系焦点距離。
【請求項２】
さらに、下記の条件式（１ａ）〜（７ａ）を満足することを特徴とする請求項１に記載の撮影光学系。
３０ｍｍ＜ｆ１＜１５０ｍｍ         （１ａ）
１００ｍｍ＜ｆ２＜５００ｍｍ       （２ａ）
２ｍｍ＜ｆ３＜５ｍｍ                （３ａ）
−１０ｍｍ＜ｆ４＜−２ｍｍ          （４ａ）
−３０ｍｍ＜ｆ５＜−１０ｍｍ        （５ａ）
１ｍｍ＜ｆ６＜５ｍｍ             （６ａ）
−５ｍｍ＜ｆ７＜−１.５ｍｍ       （７ａ）。
【請求項３】
さらに下記の条件式（１ｂ）〜（７ｂ）を満足することを特徴とする請求項１に記載の撮影光学系。
１.５０＜ｎ１＜１.５５           （１ｂ）
１.５０＜ｎ２＜１.５５           （２ｂ）
１.５０＜ｎ３＜１.５５           （３ｂ）
１.６０＜ｎ４＜１.７０           （４ｂ）
１.６０＜ｎ５＜１.７０           （５ｂ）
１.５０＜ｎ６＜１.５５           （６ｂ）
１.５０＜ｎ７＜１.５５           （７ｂ）
ただし、
ｎ１：第１のレンズの屈折率
ｎ２：第２のレンズの屈折率
ｎ３：第３のレンズの屈折率
ｎ４：第４のレンズの屈折率
ｎ５：第５のレンズの屈折率
ｎ６：第６のレンズの屈折率
ｎ７：第７のレンズの屈折率。
【請求項４】
下記の条件式（１ｃ）〜（７ｃ）を満足することを特徴とする請求項１に記載の撮影光学系。
４０＜ｖ１＜６０           （１ｃ）
４０＜ｖ２＜６０           （２ｃ）
４０＜ｖ３＜６０           （３ｃ）
１５＜ｖ４＜３０           （４ｃ）
１５＜ｖ５＜３０           （５ｃ）
４０＜ｖ６＜６０           （６ｃ）
４０＜ｖ７＜６０           （７ｃ）
ただし、
ｖ１：第１のレンズのアッベ数
ｖ２：第２のレンズのアッベ数
ｖ３：第３のレンズのアッベ数
ｖ４：第４のレンズのアッベ数
ｖ５：第５のレンズのアッベ数
ｖ６：第６のレンズのアッベ数
ｖ７：第７のレンズのアッベ数。
【請求項５】
前記第１のレンズと前記第２のレンズは下記の条件式を満足することを特徴とする請求項１に記載の撮影光学系。
ｆ１２＞５０ｍｍ又はｆ１２＜−５０ｍｍ
ただし、
ｆ１２：第１のレンズと第２のレンズとの組み合わせの焦点距離。
【請求項６】
前記第１のレンズは正レンズ又は負レンズであり、前記第１のレンズは物体側の面が凹面であることを特徴とする請求項２に記載の撮影光学系。
【請求項７】
前記第７のレンズは負レンズであることを特徴とする請求項２に記載の撮影光学系。
【請求項８】
さらに下記の条件式を満足することを特徴とする請求項１に記載の撮影光学系。
ＴＴＬ＜５.２ｍｍ
７８°＜ＦＯＶ＜８８°
ただし、
ＴＴＬ：前記第１のレンズの物体側の面から結像面までの距離
ＦＯＶ：前記撮影光学系が撮影した最大視野角の範囲。
【請求項９】
前記撮影光学系の焦点距離と前記撮影光学系の光学全長との比は、下記の条件式を満足することを特徴とする請求項１に記載の撮影光学系。 
ｆ／ＴＴL ＞０.６５
ただし、
ＴＴＬ：前記第１のレンズの物体側の面から結像面までの距離。
【請求項１０】
前記第７のレンズの像側の面は、少なくとも一つの変曲点及び少なくとも一つの停留点とを有することを特徴とする請求項７に記載の撮影光学系。
【発明の詳細な説明】
【技術分野】
【０００１】
本発明は、撮影光学系に関わり、具体的には携帯電子機器に用いる撮影光学系に関わるものである。
【背景技術】
【０００２】
近年、小型化撮影レンズの盛んな発展につれて、微型像取りモジュールに対する需要がますます増えていく。ところで、一般的な撮影レンズの感光素子は、感光性結合素子又は相補性金属酸化物導体素子の二種類にほかならない。半導体製造テクノロジーの向上につれて、感光素子の画素サイズがさらに縮小され、さらに今の電子製品は機能よく且つ軽薄短小化する傾向があるため、優れた画像形成品質を有する小型化撮影レンズは、現在市場の主流になる。
【０００３】
感光素子を用いる撮影レンズでは、画像の解像度が高ければ高いほど、画素サイズが小さくなるので、それに応えて、レンズは高解像度と優れた光学性能を満足する必要がある。例えば、レンズの広角化、レンズのハイダイナミックレンジイメージングの実現、及びレンズの公差感度の低下など。従来の７枚のレンズの群の撮影レンズは、構造の制限で、球面収差などの高級な収差をさらに矯正することができないため、結像の性能は制限がある。
【発明の概要】
【０００４】
本発明は、上記問題点を解決するために、新たな光学系構成形態を提供しており、面の形態を合理的に最適化し、焦点パワーを分配し、光学材料を選ぶことにより、携帯電子機器に適用できる、結像が鮮明な７枚のレンズの群の撮影光学系を設計した。
【０００５】
本発明は、共軸になるように設けられた第１のレンズ、第２のレンズ、第３のレンズ、第４のレンズ、第５のレンズ、第６のレンズ及び第７のレンズを物体側から像側へ順次に備え、下記の条件式（１）〜（７）を満足する撮影光学系を提供している。
１０＜ｆ１／ｆ＜４０              （１）
２０＜ｆ２／ｆ＜８０              （２）
０.５＜ｆ３／ｆ＜１.５             （３）
−２.５＜ｆ４／ｆ＜−０.５          （４）
−１０＜ｆ５／ｆ＜−２              （５）
０.２＜ｆ６／ｆ＜１.２               （６）
−１.５＜ｆ７／ｆ＜−０.４          （７）
ただし、
ｆ１：第１のレンズの焦点距離
ｆ２：第２のレンズの焦点距離
ｆ３：第３のレンズの焦点距離
ｆ４：第４のレンズの焦点距離
ｆ５：第５のレンズの焦点距離
ｆ６：第６のレンズの焦点距離
ｆ７：第７のレンズの焦点距離
ｆ：前記撮影光学系の全体の焦点距離。
本発明に係る撮影光学系の好適な実施例において、下記の条件式（１ａ）〜（７ａ）を満足する。
３０ｍｍ＜ｆ１＜１５０ｍｍ         （１ａ）
１００ｍｍ＜ｆ２＜５００ｍｍ        （２ａ）
２ｍｍ＜ｆ３＜５ｍｍ                （３ａ）
−１０ｍｍ＜ｆ４＜−２ｍｍ          （４ａ）
−３０ｍｍ＜ｆ５＜−１０ｍｍ         （５ａ）
１ｍｍ＜ｆ６＜５ｍｍ                  （６ａ）
−５ｍｍ＜ｆ７＜−１.５ｍｍ             （７ａ）。
【０００６】
本発明に係る撮影光学系の好適な実施例において、下記の条件式（１ｂ）〜（７ｂ）を満足する。
１.５０＜ｎ１＜１.５５           （１ｂ）
１.５０＜ｎ２＜１.５５           （２ｂ）
１.５０＜ｎ３＜１.５５           （３ｂ）
１.６０＜ｎ４＜１.７０           （４ｂ）
１.６０＜ｎ５＜１.７０           （５ｂ）
１.５０＜ｎ６＜１.５５           （６ｂ）
１.５０＜ｎ７＜１.５５           （７ｂ）
ただし、
ｎ１：第１のレンズの屈折率
ｎ２：第２のレンズの屈折率
ｎ３：第３のレンズの屈折率
ｎ４：第４のレンズの屈折率
ｎ５：第５のレンズの屈折率
ｎ６：第６のレンズの屈折率
ｎ７：第７のレンズの屈折率。
【０００７】
本発明に係る撮影光学系の好適な実施例において、下記の条件式（１ｃ）〜（７ｃ）を満足する。
４０＜ｖ１＜６０           （１ｃ）
４０＜ｖ２＜６０           （２ｃ）
４０＜ｖ３＜６０           （３ｃ）
１５＜ｖ４＜３０           （４ｃ）
１５＜ｖ５＜３０           （５ｃ）
４０＜ｖ６＜６０           （６ｃ）
４０＜ｖ７＜６０           （７ｃ）
ただし、
ｖ１：第１のレンズのアッベ数
ｖ２：第２のレンズのアッベ数
ｖ３：第３のレンズのアッベ数
ｖ４：第４のレンズのアッベ数
ｖ５：第５のレンズのアッベ数
ｖ６：第６のレンズのアッベ数
ｖ７：第７のレンズのアッベ数。
【０００８】
本発明に係る撮影光学系の好適な実施例において、前記第１のレンズと前記第２のレンズは、下記の条件式を満足する。
ｆ１２＞５０ｍｍ又はｆ１２＜−５０ｍｍ、
ただし、
ｆ１２：第１のレンズと第２のレンズとの組み合わせの焦点距離。
【０００９】
本発明に係る撮影光学系の好適な実施例において、前記第１のレンズは正レンズ又は負レンズであり、前記第１のレンズは物体側の面が凹面である。
【００１０】
本発明に係る撮影光学系の好適な実施例において、前記第７のレンズは負レンズである。
【００１１】
本発明に係る撮影光学系の好適な実施例において、さらに下記の条件式を満足する。
ＴＴL＜５.２ｍｍ、
７８°＜ＦＯＶ＜８８°、
ただし、
ＴＴＬ：前記第１のレンズの物体側の面から結像面までの距離、
ＦＯＶ：前記撮影光学系が撮影した最大視野角の範囲。
【００１２】
本発明に係る撮影光学系の好適な実施例において、前記撮影光学系の焦点距離と前記撮影光学系の光学全長との比は、下記の条件式を満足する。 
ｆ／ＴＴＬ＞０.６５
ただし、
ＴＴL：前記第１のレンズの物体側の面から結像面までの距離。
【００１３】
本発明に係る撮影光学系の好適な実施例において、前記第７のレンズの像側の面は、少なくとも一つの変曲点及び少なくとも一つの停留点を有する。
【００１４】
本発明に係る撮影光学系は、従来技術に比べて、下記の有益な効果を有する。
【００１５】
本発明は、面の形態を合理的に最適化し、焦点パワーを分配し、光学材料を選ぶことにより、大きい口径比の撮影光学系を設計しており、低照度の環境において鮮明な結像を実現できる。前記第１のレンズと前記第２のレンズとの組み合わせの焦点パワーは、焦点パワーなしのレンズ群に近似し、球面収差を合理的に矯正できるとともに色差と像面湾曲を引き起こすことがない。前記第４のレンズと前記第５のレンズは、屈折率が高くてアッベ数が低い材料を採用し、撮影光学系の色差を有効的に低減できる。前記第７のレンズは、負の焦点パワーのレンズであり、撮影光学系の像面湾曲を有効的に低減できる。
【図面の簡単な説明】
【００１６】
本発明の実施例における技術案をより明確に説明するため、実施例の説明に必要となる図面を簡単に紹介する。下記の図面は、本発明の一部の実施例に過ぎず、創造的な労働をしない前提で、これらの図面から他の図面を得ることができるのは、当業者にとって自明である。
【図１】は、本発明に係る撮影光学系の一つの好適な実施例の構成を示す模式図である。
【図２】は、図１に示す撮影光学系のＭＴＦグラフである。
【図３】は、図１に示す撮影光学系の像面湾曲のグラフである。
【図４】は、図１に示す撮影光学系の歪みのグラフである。
【発明を実施するための形態】
【００１７】
本発明実施例の図面を参照しながら、本発明実施例における技術案を明確に完全に説明する。なお、説明する実施例が本発明のすべての実施例ではなく、一部の実施例のみであるのは、明らかである。当業者が本発明の実施例に基づいて創造的な労働をしない前提で得られる他の実施例は、すべて本発明の技術的範囲に含まれる。
【００１８】
図１を参照してください。図１は、本発明に係る撮影光学系の一つの好適な実施例の構成を示す模式図である。前記撮影光学系１００は、主に共軸になるように設けられた７枚のレンズからなり、物体面ａから像面ｂへ順次に第１のレンズ１０、第２のレンズ２０、第３のレンズ３０、第４のレンズ４０、第５のレンズ５０、第６のレンズ６０及び第７のレンズ７０を備える。本実施例では、上記の７枚のレンズは、いずれもプラスチックレンズであり、その具体的な構造は、以下の通りです。
【００１９】
前記第１のレンズ１０は、正レンズであり、正の焦点パワーを有し、その物体側の面１１が凹面であり、プラスチック素材から製作され、前記第１のレンズ１０の物体側の面１１及び／又は像側の面１３は、球面又は非球面であってもよい。他の実施例では、前記第１のレンズは、負レンズであってもよく、負の焦点パワーを有してもよい。
【００２０】
前記第２のレンズ２０は、物体側の面２１が凸面であり、像側の面２３が凹面である。前記第２のレンズ２０は、プラスチック素材から製作され、その物体側の面２１と像側の面２３がそれぞれ一つの変曲点を有する。
【００２１】
前記第３のレンズ３０は、物体側の面３１が凸面であり、像側の面３３が凹面である。前記第３のレンズ３０は、プラスチック素材から製作され、その物体側の面３１及び像側の面３３が非球面であり、且つ前記第３のレンズ３０の像側の面３３には一つの変曲点及び一つの停留点が設置されている。
【００２２】
前記第４のレンズ４０は、物体側の面４１が凸面であり、像側の面４３が凹面である。前記第４のレンズ４０は、プラスチック素材から製作され、その物体側の面４１及び像側の面４３が非球面であり、且つ前記第４のレンズ４０の物体側の面４１には一つの変曲点が設置されている。
【００２３】
前記第５のレンズ５０は、物体側の面５１が凹面であり、像側の面５３が凸面である。前記第５のレンズ５０は、プラスチック素材から製作され、その物体側の面５１及び像側の面５３が非球面であり、且つ前記第５のレンズ５０の像側の面５３には一つの変曲点が設置されている。
【００２４】
前記第６のレンズ６０は、物体側の面６１が凹面であり、像側の面６３が凸面である。前記第６のレンズ６０は、プラスチック素材から製作され、その物体側の面６１及び像側の面６３が非球面であり、且つ前記第６のレンズ６０の像側の面６３には二つの変曲点が設置されている。
【００２５】
前記第７のレンズ７０は負レンズであり、前記第７のレンズ７０は物体側の面７１が凹面であり、像側の面７３は光軸に近い位置から周辺まで凹面を凸面になる。前記第７のレンズ７０は、プラスチック素材から製作され、前記第７のレンズ７０の物体側の面７１及び像側の面７３が非球面であり、且つ前記第７のレンズ７０の物体側の面７１には一つの変曲点が設置され、前記第７のレンズ７０の像側の面７３には少なくとも一つの変曲点及び少なくとも一つの停留点が設置されている。本実施例では、第７のレンズ７０は像側の面７３に一つの変曲点と一つの停留点が設置されているが、他の実施例では、必要に応じて、違う数量の変曲点と停留点を設置してもよい。
【００２６】
なお、物体側の面が凸面であるとは、物体側の面が物体面ａに向って突出する形状に形成される意味である。物体側の面が凹面であるとは、物体側の面が物体面ａに向って凹む形状に形成される意味である。像側の面が凸面であるとは、像側の面が像面ｂに向って突出する形状に形成される意味である。像側の面が凹面であるとは、像側の面が像面ｂに向って凹む形状に形成される意味である。
【００２７】
前記第１のレンズ１０と前記第２のレンズ２０との組み合わせ焦点パワーは、焦点パワーなしに近似し、球面収差を合理的に矯正できるとともに、色差と像面湾曲を引き起こすことがなく、第１のレンズ１０と前記第２のレンズ２０はｆ１２＞５０ｍｍ 又は ｆ１２＜−５０ｍｍという条件式を満足する。ただし、ｆ１２は、第１のレンズ１０と第２のレンズ２０の組み合わせ焦点距離である。前記第４のレンズ４０と前記第５のレンズ５０は、屈折率が高くてアッベ数が低い光学材料を採用し、撮影光学系の色差を有効的に低減できる。前記第７のレンズ７０は、負の焦点パワーレンズであり、撮影光学系の像面湾曲を有効的に低減できる。７枚のレンズの面の形態を合理的に最適化し、焦点パワーを分配し、光学材料を選ぶことにより、前記撮影光学系１００が低い照度において優れた結像性能を有する。
【００２８】
前記撮影光学系１００は、ガラス平板８０及び絞り９０をさらに備える。前記ガラス平板８０は、前記第７のレンズ７０における像面ｂが位置する側に設けられる。前記ガラス平板８０は、光学フィルターとすることが可能で、光を濾過する機能を有し、ガラス平板８０の種類が実際の必要に応じて選択できる。前記絞り９０は、前記第３のレンズ３０の物体側の面３１に設けられ、光量と被写界深度を制御するものである。
【００２９】
本発明に係る撮影光学系１００では、前記撮影光学系１００の小型化、高感度、高光学性能及び広い視野角の設計要求を実現するために、前記撮影光学系１００の第１のレンズ１０、第２のレンズ２０、第３のレンズ３０、第４のレンズ４０、第５のレンズ５０、第６のレンズ６０及び第７のレンズ７０は下記の条件を満足する必要がある。
【００３０】
一、焦点距離：
前記撮影光学系１００の全体構造において、前記撮影光学系１００の第１のレンズ１０、第２のレンズ２０、第３のレンズ３０、第４のレンズ４０、第５のレンズ５０、第６のレンズ６０及び第７のレンズ７０の焦点距離が下記の条件を満足する必要がある。
３０ｍｍ＜ｆ１＜１５０ｍｍ、１００ｍｍ＜ｆ２＜５００ｍｍ、２ｍｍ＜ｆ３＜５ｍｍ、−１０ｍｍ＜ｆ４＜−２ｍｍ、−３０ｍｍ＜ｆ５＜−１０ｍｍ、１ｍｍ＜ｆ６＜５ｍｍ、−５ｍｍ＜ｆ７＜−１.５ｍｍ、
且つ１０＜ｆ１／ｆ＜４０、２０＜ｆ２／ｆ＜８０、０.５＜ｆ３／ｆ＜１.５、−２.５＜ｆ４／ｆ＜−０.５、−１０＜ｆ５／ｆ＜−２、０.２＜ｆ６／ｆ＜１.２、−１.５＜ｆ７／ｆ＜−０.４、
ただし、
ｆ１：第１のレンズの焦点距離、
ｆ２：第２のレンズの焦点距離、
ｆ３：第３のレンズの焦点距離、
ｆ４：第４のレンズの焦点距離、
ｆ５：第５のレンズの焦点距離、
ｆ６：第６のレンズの焦点距離、
ｆ７：第７のレンズの焦点距離、
ｆ：前記撮影光学系の全体の焦点距離。
【００３１】
二、屈折率
前記撮影光学系１００の全体構造において、前記撮影光学系１００の第１のレンズ１０、第２のレンズ２０、第３のレンズ３０、第４のレンズ４０、第５のレンズ５０、第６のレンズ６０及び第７のレンズ７０の屈折率は下記の条件を満足する必要がある。
１.５０＜ｎ１＜１.５５、１.５０＜ｎ２＜１.５５、１.５０＜ｎ３＜１.５５、
１.６０＜ｎ４＜１.７０、１.６０＜ｎ５＜１.７０、１.５０＜ｎ６＜１.５５、
１.５０＜ｎ７＜１.５５、
ただし、
ｎ１：第１のレンズの屈折率、
ｎ２：第２のレンズの屈折率、
ｎ３：第３のレンズの屈折率、
ｎ４：第４のレンズの屈折率、
ｎ５：第５のレンズの屈折率、
ｎ６：第６のレンズの屈折率、
ｎ７：第７のレンズの屈折率。
【００３２】
三、アッベ数
前記撮影光学系１００の全体構造において、前記撮影光学系１００の第１のレンズ１０、第２のレンズ２０、第３のレンズ３０、第４のレンズ４０、第５のレンズ５０、第６のレンズ６０及び第７のレンズ７０のアッベ数が下記の条件を満足する必要がある。
４０＜ｖ１＜６０、４０＜ｖ２＜６０、４０＜ｖ３＜６０、１５＜ｖ４＜３０、
１５＜ｖ５＜３０、４０＜ｖ６＜６０、４０＜ｖ７＜６０、
ただし、
ｖ１：第１のレンズのアッベ数、
ｖ２：第２のレンズのアッベ数、
ｖ３：第３のレンズのアッベ数、
ｖ４：第４のレンズのアッベ数、
ｖ５：第５のレンズのアッベ数、
ｖ６：第６のレンズのアッベ数、
ｖ７：第７のレンズのアッベ数。
【００３３】
前記第１のレンズ１０、前記第２のレンズ２０、前記第３のレンズ３０、前記第４のレンズ４０、前記第５のレンズ５０、前記第６のレンズ６０及び前記第７のレンズ７０の焦点距離、屈折率、アッベ数が上記条件を満足しない場合、前記撮影光学系１００の色差特性とテレセントリック特性が悪化する可能性があり、しかも、前記撮影光学系１００の敏感度を高め、前記撮影光学系１００の小型化と広視野角を実現することが困難であり、且つ前記撮影光学系１００のコストダウンに不利である。
【００３４】
本実施例では、前記撮影光学系１００の第１のレンズ１０、第２のレンズ２０、第３のレンズ３０、第４のレンズ４０、第５のレンズ５０、第６のレンズ６０、第７のレンズ７０及びガラス平板１８０の焦点距離、屈折率、アッベ数の値は、それぞれ下記の表１に表示される。
【表１】
2017116911.tif 000003
【００３５】
前記撮影光学系１００の第１のレンズ１０（Ｐ１）、第２のレンズ２０（Ｐ２）、第３のレンズ３０（Ｐ３）、第４のレンズ４０（Ｐ４）、第５のレンズ５０（Ｐ５）、第６のレンズ６０（Ｐ６）及び第７のレンズ７０（Ｐ７）の物体側の面及び像側の面の連続性、曲率半径、ＳＡＧ及び半口径ＳDの値は、表２に表示される。
【表２】
2017116911.tif 000004
ただし、
Ｒ１１：第１のレンズＰ１の物体側の面の曲率半径、
Ｒ１２：第１のレンズＰ１の像側の面の曲率半径、
Ｒ２１：第２のレンズＰ２の物体側の面の曲率半径、
Ｒ２２：第２のレンズＰ２の像側の面の曲率半径、
Ｒ３１：第３のレンズＰ３の物体側の面の曲率半径、
Ｒ３２：第３のレンズＰ３の像側の面の曲率半径、
Ｒ４１：第４のレンズＰ４の物体側の面の曲率半径、
Ｒ４２：第４のレンズＰ４の像側の面の曲率半径、
Ｒ５１：第５のレンズＰ５の物体側の面の曲率半径、
Ｒ５２：第５のレンズＰ５の像側の面の曲率半径、
Ｒ６１：第６のレンズＰ６の物体側の面の曲率半径、
Ｒ６２：第６のレンズＰ６の像側の面の曲率半径、
Ｒ７１：第７のレンズＰ７の物体側の面の曲率半径、
Ｒ７２：第７のレンズＰ７の像側の面の曲率半径、
ＳＡＧ１１：第１のレンズのレンズ表面が光軸に投影した位置から当該物体側の面のレンズ中心までの距離、
ＳＡＧ１２：第１のレンズのレンズ表面が光軸に投影した位置から当該像側の面のレンズ中心までの距離、
ＳＡＧ２１：第２のレンズのレンズ表面が光軸に投影した位置から当該物体側の面のレンズ中心までの距離、
ＳＡＧ２２：第２のレンズのレンズ表面が光軸に投影した位置から当該像側の面のレンズ中心までの距離、
ＳＡＧ３１：第３のレンズのレンズ表面が光軸に投影した位置から当該物体側の面のレンズ中心までの距離、
ＳＡＧ３２：第３のレンズのレンズ表面が光軸に投影した位置から当該像側の面のレンズ中心までの距離、
ＳＡＧ４１：第４のレンズのレンズ表面が光軸に投影した位置から当該物体側の面のレンズ中心までの距離、
ＳＡＧ４２：第４のレンズのレンズ表面が光軸に投影した位置から当該像側の面のレンズ中心までの距離、
ＳＡＧ５１：第５のレンズのレンズ表面が光軸に投影した位置から当該物体側の面のレンズ中心までの距離、
ＳＡＧ５２：第５のレンズのレンズ表面が光軸に投影した位置から当該像側の面のレンズ中心までの距離、
ＳＡＧ６１：第６のレンズのレンズ表面が光軸に投影した位置から当該物体側の面のレンズ中心までの距離、
ＳＡＧ６２：第６のレンズのレンズ表面が光軸に投影した位置から当該像側の面のレンズ中心までの距離、
ＳＡＧ７１：第７のレンズのレンズ表面が光軸に投影した位置から当該物体側の面のレンズ中心までの距離、
ＳＡＧ７２：第７のレンズのレンズ表面が光軸に投影した位置から当該像側の面のレンズ中心までの距離。
【００３６】
前記撮影光学系１００の第１のレンズ１０（Ｐ１）、第２のレンズ２０（Ｐ２）、絞り１００（ＳＴ）、第３のレンズ３０（Ｐ３）、第４のレンズ４０（Ｐ４）、第５のレンズ５０（Ｐ５）、第６のレンズ６０（Ｐ６）、第７のレンズ７０（Ｐ７）及びガラス平板１８０（Ｔｇ）の厚さは、表３に表示される。
【表３】
2017116911.tif 000005
ただし、
Ｔ１： 第１のレンズの厚さ、
Ｔ１２：第１のレンズの像側の面と第２のレンズの物体側の面との光軸上の間隔距離、
Ｔ２： 第２のレンズの厚さ、
ＳＴ： 絞りの厚さ、
Ｔ２３：絞りと第３のレンズの物体側の面との光軸上の間隔距離、
Ｔ３： 第３のレンズの厚さ、
Ｔ３４：第３のレンズの像側の面と第４のレンズの物体側の面との光軸上の間隔距離、
Ｔ４： 第４のレンズの厚さ、
Ｔ４５：第４のレンズの像側と第５のレンズとの光軸上の間隔距離、
Ｔ５： 第５のレンズの厚さ、
Ｔ５６：第５のレンズと第６のレンズとの光軸上の間隔距離、
Ｔ６： 第６のレンズの厚さ、
Ｔ６７：第６のレンズと第７のレンズとの光軸上の間隔距離、
Ｔ７： 第７のレンズの厚さ。
【表４】
2017116911.tif 000006
【００３７】
本実施例では、ＤＦＯＶ=７８.００°、ＨＦＯＶ＝６２.４０°、ＶＦＯＶ＝４６.８０°、ただし、ＦＯＶが前記撮影光学系の最大視野角範囲とし、ＨＦＯＶが水平視野角とし、ＤＦＯＶが対角線視野角とし、ＶＦＯＶが垂直視野角とする。
【００３８】
図２、図３及び図４を同時に参照し、ここで、図２は図１に示す撮影光学系のＭＴＦのグラフであり、図３は図１に示す撮影光学系の像面湾曲のグラフであり、図４は図１に示す撮影光学系の歪みのグラフである。図２、図３及び図４に示すように、本発明に係る前記撮影光学系１００は、高い光学性能を有する。
【００３９】
また、本発明に係る撮影光学系１００では、前記撮影光学系１００が大口径比の光学系に基づいて設計され、その光学全長が５.２ｍｍ未満で、視野角が７８°〜８８°にある。前記撮影光学系の焦点距離と系の光学全長との比は、ｆ／ＴＴL ＞０.６５を満足する。
【００４０】
本発明に係る撮影光学系１００は、下記の有益な効果を有する。
本発明は、面の形態を合理的に最適化し、焦点パワーを分配し、光学材料を選ぶことにより、大口径比撮影光学系を設計し、低照度下の結像性能を提供し、鮮明な結像を実現した。前記第１のレンズ１０と前記第２のレンズ２０との組み合わせの焦点パワーは、焦点パワーなしのレンズ群に近似し、球面収差を合理的に矯正することができるとともに、色差と像面湾曲を引き起こすことがない。前記第４のレンズ４０と前記第５のレンズ５０は、屈折率が高くてアッベ数が低い材料を採用し、撮影光学系の色差を有効的に低減でき、前記第７のレンズ７０は、負の焦点パワーのレンズであり、撮影光学系の像面湾曲を有効的に低減できる。
【００４１】
以上の説明は、本発明の好ましい実施例に過ぎず、本発明を限定するものではない。当業者にとって、本発明が様々な変更や変形を有し得る。本発明の趣旨と思想を逸脱しない範囲での矯正、均等物による置換、改良などは、本発明の技術的範囲に含まれると理解すべきである。
【図１】
2017116911.tif 000007
【図２】
2017116911.tif 000008
【図３】
2017116911.tif 000009
【図４】
2017116911.tif 000010